(57)【要約】クッション材、支持部材、カバーを有するクッション挿入体が提供されている。クッション材は、上プライと下プライとに囲まれている。支持部材は、上プライに配置されている。カバーは、支持部材がクッション材が上プライの方へ膨張するのを制限するように、支持部材を上プライに固定している。
2007526405.tif 000002
【特許請求の範囲】
【請求項１】
上プライと下プライとによって囲まれたクッション材と、
前記上プライに配置された支持部材と、
この支持部材がクッション材が上プライに向かって膨張するのを制限するように、支持部材を前記上プライに固定するためのカバーと、を具備しているクッション挿入体。
【請求項２】
前記支持部材は、ゴム材である、請求項１のクッション挿入体。
【請求項３】
前記ゴム材は、エチレン酢酸ビニールゴムである、請求項２のクッション挿入体。
【請求項４】
前記ゴム材は、連続気泡フォーム材であるか、独立気泡フォーム材である、請求項２のクッション挿入体。
【請求項５】
前記クッション挿入体は、ストラップ内に位置付け可能である、請求項１のクッション挿入体。
【請求項６】
前記クッション材は、ゲル状材である、請求項１のクッション挿入体。
【請求項７】
前記ゲル状材は、シリコーンゲルである、請求項６のクッション挿入体。
【請求項８】
前記ゲル状材は、約４１００センチポアズの粘性を有している、請求項３のクッション挿入体。
【請求項９】
前記上プライ、前記下プライ、および前記カバーの全ては、同じプラスチック材料で形成されている、請求項１のクッション挿入体。
【請求項１０】
クッション性のあるストラップであって、
第１の方向に面する第１の層と、
この第１の方向とは反対の第２の方向に面する第２の層と、
これら第１の層と第２の層との間に位置し、第１の層に隣接している第１のプライと、
これら第１の層と第２の層との間に位置し、第２の層に隣接している第２のプライと、
前記第１のプライと第２のプライとの間に囲まれたゲル状のクッションと、
前記第１のプライに固定され、前記クッション性のあるストラップに第２の方向から力をかけた時に前記ゲル状のクッションが第１の方向に動くのを制限する支持部材と、を具備しているクッション性のあるストラップ。
【請求項１１】
前記支持部材は、ゴム材である、請求項１０のクッション性のあるストラップ。
【請求項１２】
前記ゴム材は、連続気泡フォーム材であるか、独立気泡フォーム材である、請求項１１のクッション性のあるストラップ。
【請求項１３】
前記第２の方向は、ストラップ装着者の接触領域に面する、請求項１０のクッション性のあるストラップ。
【請求項１４】
前記第１および第２の層は、天然繊維、化学繊維、およびこれらの所定の組み合わせより成るグループから選択された１つの繊維で形成された繊維層である、請求項１０のクッション性のあるストラップ。
【請求項１５】
前記ゲル状材は、約４１００センチポアズの粘性を有している、請求項１０のクッション性のあるストラップ。
【請求項１６】
装着者の乳房を各々に受けるための１対の乳房用カップが形成されている、ボディ包囲部と、
このボディ包囲部を装着者の接触領域に固定するためのストラップと、
前記接触領域に配置されるクッション挿入体であって、接触領域の近くのゲル状材と、接触領域によってこのクッション挿入体にかけられる力が制限されてゲル状材が接触領域から離れる方向に膨張しないようにするために接触領域から離れたゲル状材を覆う支持部材と、を有するクッション挿入体と、を具備しているブラジャー。
【請求項１７】
前記支持部材は、ゴム材である、請求項１６のブラジャー。
【請求項１８】
前記ゴム材は、連続気泡フォーム材であるか、独立気泡フォーム材である、請求項１７のブラジャー。
【請求項１９】
前記ストラップは、第１の層と第２の層とを有し、前記クッション挿入体は、これら第１の層と第２の層との間に位置されている、請求項１６のブラジャー。
【請求項２０】
前記ゲル状材を囲む１対のプライを更に具備しており、この１対のプライの一方に前記支持部材が固定されている、請求項１７のブラジャー。
【発明の詳細な説明】
【発明の詳細な説明】
【０００１】
本発明は、一般にストラップ用のクッション挿入体に関し、更に詳細にはブラジャーなどクッション挿入体を有する装置あるいは衣類用のストラップに関する。
【０００２】
多くの品物は、運ばれる物体の重量を支えるのを助けるために使用者の１つ以上の肩を横断するストラップを必要とする。例えば、バックパック、荷物、ブリーフケース、ハンドバッグ、スポーツ機器用バッグ、および他の品物が、使用者の肩を横断するストラップを有することがある。
【０００３】
更に、医療用つり包帯、ブラジャー、女性の水着、レオタード、および他の衣類のような衣類が、装着者の一部を支持するのを助けることができる。これらの応用例では、衣類は、装着者の肩を横断するように位置される１つ以上のストラップを有することができ、かくして、支持される負荷の一部を肩に移す。
【０００４】
装着者の快適さを向上させるために、ストラップによっては、ストラップに組み込まれたパッド、クッション、および／または負荷分散面を有している。
【０００５】
しかしながら、装着者の快適さを更に増すために新しくてより良いクッション性のあるストラップの必要性が引き続き存在する。
【０００６】
本発明の１つの目的は、ストラップ用のクッション挿入体を提供することである。
【０００７】
本発明の他の目的は、ゲル状材によって衝撃を和らげるためのストラップを提供することである。
【０００８】
本発明の更なる他の目的は、ゲル状材が装着者の体から離れようと動くのを制限するゲル状のクッション性のあるストラップを提供することである。
【０００９】
これらおよび他の目的と本発明の利点とは、クッション材、支持部材、およびカバーを有するクッション挿入体によって果される。クッション材は、上プライと下プライによって囲まれている。支持部材は、上プライに配置されている。カバーは、支持部材が上プライへ向かうクッション材の膨張を制限するように、支持部材を上プライに固定している。
【００１０】
これらおよび他の目的と本発明の利点とは、また、第１の方向に面する第１の層とこれに対向した第２の方向に面する第２の層とを有するクッション性のあるストラップによって果される。クッション性のあるストラップは、第１の層と第２の層との間に囲まれたゲル状のクッションを有している。ゲル状のクッションは、第２のプライが第２の層と隣接するように、第１の層と第２の層との間に位置されている。支持部材は、カバーによって、第１の層に隣接した第１のプライに固定されている。支持部材は、クッション性のあるストラップに第２の方向から力をかけたときにゲル状のクッションが第１の方向に動くのを制限する。
【００１１】
更に、本発明のこうした目的と利点とは、ストラップおよびクッション挿入体を備えたボディ包囲部とを有するブラジャーによって果される。ボディ包囲部は、装着者の乳房を受けるための１対の乳房用カップを有している。ストラップは、このボディ包囲部を装着者の接触領域を横切るように固定する。クッション挿入体は、接触領域に配置されている。クッション挿入体は、接触領域に隣接したゲル状材と、接触領域から離れたこのゲル状材を覆う支持部材とを有している。かくして、接触領域によってクッション挿入体にかけられる力が接触領域から離れる方向にゲル状材を膨張させるのが、制限される。
【００１２】
上述したおよび他の特徴と本発明の利点とは、以下の詳細な説明、図面、および添付請求項により、当業者によって理解されるだろう。
【００１３】
図面、特に図１を参照すると、支持装置１０は、衣類の例として、特にブラジャーとして示されている。装置１０は、接触領域１４で装着者の肩を横断するように位置される１つ以上のストラップ１２を有している。
【００１４】
装置１０がブラジャーである図示されている例では、ブラジャーが、ボディ包囲部１８内に形成された乳房用カップ１６を有している。使用するとき、部分１８は、装着者の乳房が乳房用カップ１６によって受けられて支持される位置で、体の周りに配置される。この位置では、ストラップ１２が、装置１０によって支持された負荷の一部を部分１８およびカップ１６から接触領域１４へ移させる。
【００１５】
装置１０は、接触領域１４が装着者の肩であるような２つのストラップ１２を有するブラジャーとして例示されていることを理解しなくてはならない。言うまでもなく、本発明によれば、ブラジャーが、装着者の首の背部を横断する単一ストラップ１２を有する場合（即ち、接触領域１４が装着者の首部である場合）も考えられる。更に、接触領域１４が、肩部、アーム部、首部、あるいは装着者の体の他の領域などの所定の支持面であることが考えられる。
【００１６】
ストラップ１２が接触領域１４に与える影響を緩和するために、装置１０は、接触領域に本発明のクッション挿入体２０を有している。
【００１７】
クッション挿入体２０は、図２〜４を参照しながら説明されている。挿入体２０は、装置１０の負荷をストラップ１２単独によって可能なよりも広い領域に分散させるだけでなく、領域１４にクッション性を与えるようにも構成された、多層構造体である。
【００１８】
挿入体２０は、ストラップ１２に配置されていると好ましい。例えば、ストラップ１２は、第１の層２２と、第２の面する層２４とを有している。第１の層２２と第２の層２４とは、繊維層であると好ましい。例えば、層２２，２４は、天然繊維（例えばコットン）、化学繊維（例えばナイロン）、およびこれらの所定の組み合わせからできた繊維で形成可能である。
【００１９】
第１の層２２は、装着者の体に面し、第２の層２４は、装着者の体とは逆方向に面する。挿入体２０は、第１の層２２と第２の層２４との間に夫々配置されていると好ましい。
【００２０】
言うまでもなく、本発明によれば、挿入体２０が、ストラップの第１の層２２あるいは第２の層２４に固定されることが考えられる。あるいは、ストラップ１２が、１つの層だけを有していて、挿入体２０が、単一層ストラップの片側に固定されることも考えられる。
【００２１】
挿入体２０は、好ましくはゲル状材であるクッション材２６を有している。本明細書で用いられているように、“ゲル状”とは、流動性あるいは粘着特性を有する半固体の材料を意味する。例えば、クッション材２６は、Grupo Empressarial of Columbiaから市販されていて、摂氏２５度で約４１００センチポアズ（cps）のブルックフィールド粘性を有するシリコーンゲルであってもよい。言うまでもなく、本発明によれば、クッション材２６が、より高いか低い粘性を有する他のゲル状材である場合も考えられる。
【００２２】
クッション材２６は、プラスチック材の下プライ２８と上プライ３０との間に収容される。例えば、下プライ２８と上プライ３０とは、ポリ塩化ビニル（例えばＰＶＣ）であってよい。
【００２３】
使用中、領域１４は、矢印の方向へ挿入体２０に力３２をかける。この力３２により、クッション材２６が領域１４から離れる方向に動かされ、これによって、クッション材のクッション効果が制限されてしまうことが、分かっている。例えば、力３２により、クッション材２６がこの力とは反対方向に上プライ３０に対する圧力を発生させ、これによって、領域１４から離れる外方へと上プライが膨張されてしまうことが、分かっている。
【００２４】
有利には、挿入体２０は、上プライ３０に位置された支持部材３４を有している。この位置で、支持部材３４は、クッション材２６が領域１４から離れるように外方に膨張する度合いを軽減する。即ち、支持部材３４は、クッション材２６に力３２とは反対方向へ制限力をかけるように助ける。かくして、支持部材３４は、クッション材２６のクッション効果を支持部材なしで可能なよりも高い程度に維持するのに効果的であることがわかっている。
【００２５】
支持部材３４は、エチレン酢酸ビニール（ＥＶＡ）ゴムのようなゴム材料で形成可能である。好ましくは、支持部材３４は、連続あるいは独立気泡フォームＥＶＡゴム材である。更に、支持部材３４は、カバー３６によって上プライ３０に固定されていると好ましい。カバー３６は、下プライ２８および上プライ３０と同じ材料で形成されていてよい。あるいは、カバー３６は、下プライ２８および上プライ３０とは異なる材料で形成されていてよい。
【００２６】
従って、挿入体２０は、カバー３６、支持部材３４、上プライ３０、クッション材２６、および下プライ２８を有する多層構造体である。クッション材２６は、領域１４にわたって力３２を分配および分散させる粘着特性を有していると好ましい。更に、支持部材３４は、クッション材２６が領域１４から外方へ流れるのを軽減するのを助ける。これが、クッション材のクッション効果を増すことが分かっている。
【００２７】
従って、挿入体２０は、ストラップを容易かつ急速にクッション性のあるストラップとするために、ストラップ１２中に挿入および／またはこれに固定するのに特に適している。
【００２８】
また、用語“第１の”、“第２の”、“第３の”、“上”、および“下”などは、本明細書では、様々の部材を修飾するのに用いられている。これらの修飾は、修飾された部材について、特に述べられていない限り、空間的、時間順次的、あるいは階層的な順序を示すものではない。
【００２９】
本発明は１つ以上の実施形態を参照して説明されているが、様々の変更が可能であり、これらの部材は同等のものと本発明の範囲から逸脱することなく置換え可能であることが、当業者によれば理解されるだろう。更に、本発明の範囲から逸脱することなく特定の状況あるいは材料を開示内容に適合させるように、多くの改良が可能である。かくして、本発明は、本発明の実施する最良の形態として開示されている特定の実施形態に制限されず、本発明は、添付請求項の範囲内に収まる全ての実施形態を含むように意図されている。
【図面の簡単な説明】
【００３０】
【図１】本発明のクッション挿入体を有する衣類の例示的な１実施形態の斜視図である。
【図２】図１のクッション性のあるストラップの上面図である。
【図３】図２の線３−３に沿って切断されたクッション性のあるストラップの断面図である。
【図４】図３の拡大図である。
【図１】
2007526405.tif 000003
【図２】
2007526405.tif 000004
【図３】
2007526405.tif 000005
【図４】
2007526405.tif 000006